(57)【要約】【課題】移動通信システムにおけるアクセスクラス制限リストを用いるパケットサービス状態提供方法 を提供する。【解決手段】前記方法は、移動通信端末機がネットワークから受信したシステム情報に含まれたアクセスクラス制限リストの情報に、前記移動通信端末機が既に格納したアクセスクラス制限情報と一致する情報があるか検査するステップと、前記一致する情報がある場合、パケットサービス要請の際、パケットサービス提供不可情報を含む前記パケットサービス要請に対する応答を提供するステップと、前記提供されたパケットサービス提供不可情報をディスプレイするステップと、を含む。【選択図】図３
2008048399.tif 000002
【特許請求の範囲】
【請求項１】
移動通信システムにおけるアクセスクラス制限リストを用いるパケットサービス状態提供方法において、
移動通信端末機がネットワークから受信したシステム情報に含まれたアクセスクラス制限リストの情報に、前記移動通信端末機が既に格納したアクセスクラス制限情報と一致する情報があるか検査するステップと、
前記一致する情報がある場合、パケットサービス要請の際、パケットサービス提供不可情報を含む前記パケットサービス要請に対する応答を提供するステップと
を含むことを特徴とする方法。
【請求項２】
前記提供されたパケットサービス提供不可情報を出力するステップをさらに含むことを特徴とする請求項１に記載の方法。
【請求項３】
前記一致する情報がない場合、一般的な登録過程を行うステップをさらに含むことを特徴とする請求項１に記載の方法。
【請求項４】
前記システム情報は、ネットワークを介して周期的に受信されることを特徴とする請求項１に記載の方法。
【請求項５】
移動通信システムにおけるアクセスクラス制限リストを用いるパケットサービス状態提供装置において、
受信したシステム情報に含まれたアクセスクラス制限リストの情報と既格納のアクセスクラス制限情報に一致する情報がある場合、パケットサービス要請の際、前記パケットサービス提供不可情報を含む前記パケットサービス要請に対する応答を提供するセル制限情報処理部と、
前記セル制限情報処理部が提供した前記パケットサービス不可情報を出力し、使用者から前記パケットサービス要請がある場合、前記セル制限情報処理部に前記パケットサービスを要請する使用者インタフェースと、
ネットワークからシステム情報を受信し、前記セル制限情報処理部に提供して、セル内資源アクセス（ａｃｃｅｓｓ）に対する制限事項があるか検査し、前記制限事項がある場合、前記使用者インタフェースに提供するように制御する制御部と
を含むことを特徴とする装置。
【請求項６】
前記制御部は、前記アクセスクラス制限情報に一致する情報がない場合、一般的な登録過程を行うことを特徴とする請求項５に記載の装置。
【請求項７】
前記システム情報は、ネットワークを介して周期的に受信されることを特徴とする請求項５に記載の装置。
【請求項８】
移動通信システムにおけるアクセスクラス制限リストを用いるパケットサービス状態提供システムにおいて、
パケットサービス提供が不可能である場合、現在管理するセルにアクセスクラス制限を設定して、システム情報に含めて放送するネットワーク装置と、
前記システム情報に含まれたアクセスクラス制限リストの情報と既格納のアクセスクラス制限情報に一致する情報がある場合、前記パケットサービス提供不可情報を出力して、前記パケットサービス提供不可状態を提供する移動通信端末機と
を含むことを特徴とするシステム。
【請求項９】
前記移動通信端末機は、前記アクセスクラス制限情報に一致する情報がある状態で、使用者からパケットサービス要請がある場合、前記アクセスクラス制限による前記パケットサービス提供不可状態を出力することを特徴とする請求項８に記載のシステム。
【請求項１０】
前記システム情報は、ネットワークを介して周期的に受信されることを特徴とする請求項８に記載のシステム。
【請求項１１】
移動通信システムにおけるアクセスクラス制限リストを用いる移動通信端末機のパケットサービス状態提供方法において、
ネットワークから受信したシステム情報に含まれたアクセスクラス制限リストの情報に前記移動通信端末機が既に格納したアクセスクラス制限情報と一致する情報があるか検査するステップと、
前記一致する情報がある場合、使用者からパケットサービスが要請されると、パケットサービス提供不可情報を含む前記パケットサービス要請に対する応答を生成するステップと
を含むことを特徴とする方法。
【請求項１２】
前記生成したサービス提供不可情報を出力するステップをさらに含むことを特徴とする請求項１１に記載の方法。
【請求項１３】
前記一致する情報がない場合、一般的な登録過程を行うステップをさらに含むことを特徴とする請求項１１に記載の方法。
【請求項１４】
前記システム情報は、ネットワークを介して周期的に受信されることを特徴とする請求項１１に記載の方法。
【請求項１５】
移動通信システムにおけるパケットサービス状態を提供するプログラムを記録したコンピュータ読出可能記録媒体において、
移動通信端末機がネットワークから受信したシステム情報に含まれたアクセスクラス制限リストの情報に、前記移動通信端末機が既に格納したアクセスクラス制限情報と一致する情報があるか検査する第１コードセグメントと、
前記一致する情報がある場合、パケットサービス要請の際、パケットサービス提供不可情報を含む前記パケットサービス要請に対する応答を提供する第２コードセグメントと
を含むことを特徴とするコンピュータ読出可能記録媒体。
【請求項１６】
前記提供されたパケットサービス提供不可情報を出力する第３コードセグメントをさらに含むことを特徴とする請求項１５に記載のコンピュータ読出可能記録媒体。
【請求項１７】
前記一致する情報がない場合、一般的な登録過程を行う第４コードセグメントをさらに含むことを特徴とする請求項１５に記載のコンピュータ読出可能記録媒体。
【請求項１８】
前記システム情報は、ネットワークを介して周期的に受信されることを特徴とする請求項１５に記載のコンピュータ読出可能記録媒体。
【発明の詳細な説明】
【技術分野】
【０００１】
本発明は、移動通信システムに関し、特に、適切な（ｓｕｉｔａｂｌｅ）セルにキャンピング（ｃａｍｐｉｎｇ）した移動通信端末機が、アクセスクラスが制限された（ａｃｃｅｓｓ  ｃｌａｓｓ  ｂａｒｒｅｄ）別のセルに移動した後、前記アクセスクラス制限によりパケットサービスのための発信が不可能である       場合、その原因を使用者インタフェース（ＭＭＩ：Ｍａｎ  Ｍａｃｈｉｎｅ  Ｉｎｔｅｒｆａｃｅ）に提供する装置及び方法に関する。
【背景技術】
【０００２】
移動通信端末機は、パワーオン（ｐｏｗｅｒ  ｏｎ）からパワーオフ（ｐｏｗｅｒ  ｏｆｆ）まで、ネットワークと周期的に情報を送受信する。すなわち、前記移動通信端末機が情報を更新する必要がある場合、前記ネットワークに該当情報を伝送し、同じく前記ネットワークが情報を更新する必要がある場合、前記移動通信端末機に該当情報を伝送する。前記移動通信端末機は、前記ネットワークが伝送した情報を解釈して、既定義の方式（すなわち、通信プロトコール）により次の過程を行う。
【０００３】
特に、前記移動通信端末機は、パワーオンの際、前記移動通信端末機が位置したセルを検索し、前記検索過程の後、そのセルが適合するセルであれば、キャンピング過程を行う。この場合、前記移動通信端末機は、現在セルの固有の情報を得て位置情報を獲得することができる。そして、前記移動通信端末機は、前記キャンピングしたセルから周期的に放送されるシステム情報（ｓｙｓｔｅｍ  ｉｎｆｏｒｍａｔｉｏｎ  ｂｌｏｃｋ）を受信し、受信したシステム情報によって、既定義の方式により次の過程を行う。
【０００４】
図１は、一般の移動通信システムの階層構造を図示した図である。
【０００５】
図１に示すように、無線網制御機（ＲＮＣ：Ｒａｄｉｏ  Ｎｅｔｗｏｒｋ  Ｃｏｎｔｒｏｌｌｅｒ）と移動通信端末機は、各々の無線資源制御階層（ＲＲＣ：Ｒａｄｉｏ  Ｒｅｓｏｕｒｃｅ  Ｃｏｎｔｒｏｌ）１１０、１２０、無線連結制御階層（ＲＬＣ：Ｒａｄｉｏ  Ｌｉｎｋ  Ｃｏｎｔｒｏｌ）１３０、１４０、媒体アクセス制御階層（ＭＡＣ：Ｍｅｄｉｕｍ  Ａｃｃｅｓｓ  Ｃｏｎｔｒｏｌ）１５０、１６０、物理階層（ｐｈｙｓｉｃａｌ  ｌａｙｅｒ、Ｌ１）１７０、１８０を用いて通信を行う。
【０００６】
前記物理階層１７０、１８０は、１階層の通信プロトコールで、通信媒体に対して電気的、機械的なインタフェースに該当し、接続通信及び接続解除のための過程を含むデータを、前記移動通信システムの装備が通信できる信号に変換する。前記媒体アクセス制御階層１５０、１６０と無線連結制御階層１３０、１４０は、２階層の通信プロトコールで、論理的な接続と連結制御及びエラー制御を行う。前記無線資源制御階層１１０、１２０は、３階層の通信プロトコールで、制御メッセージを交換して前記物理階層１７０、１８０と媒体アクセス制御階層１５０、１６０及び無線連結制御階層１３０、１４０に対する設定及び制御を担当する。
【０００７】
ＧＰＲＳ移動性管理階層（ＧＭＭ：Ｇｅｎｅｒａｌ  ｐａｃｋｅｔ  ｒａｄｉｏ  ｓｅｒｖｉｃｅ  Ｍｏｂｉｌｉｔｙ  Ｍａｎａｇｅｍｅｎｔ）１０５は、前記無線資源制御階層１１０の上位に位置し、ＳＧＳＮ（Ｓｅｒｖｉｎｇ  ＧＰＲＳ  Ｓｕｐｐｏｒｔ  Ｎｏｄｅ）またはＧＧＳＮ（Ｇａｔｅｗａｙ  ＧＰＲＳ  Ｓｕｐｐｏｒｔ  Ｎｏｄｅ）と連動して、前記移動通信端末機のＧＰＲＳモードでの移動によるセッション管理を行う。
【０００８】
使用者インタフェース（ＭＭＩ：Ｍａｎ  Ｍａｃｈｉｎｅ  Ｉｎｔｅｒｆａｃｅ）１０２は、前記ＧＰＲＳ移動性管理階層１０５と通信して現在移動通信端末機の状態を表示したり、使用者から特定入力が提供されて下位階層に伝達する。前記ＧＧＳＮは、前記ＳＧＳＮを介して前記移動通信端末機と連動し、インターネットと前記移動通信端末機を連結するルーターの役割を行う。
【０００９】
前記システム情報ブロック（ＳＩＢ：Ｓｙｓｔｅｍ  Ｉｎｆｏｒｍａｔｉｏｎ  Ｂｌｏｃｋ）で、システム情報３に含まれるセル制限（ｃｅｌｌ  ｒｅｓｔｒｉｃｔｉｏｎ）情報のうち、アクセスクラス制限リスト（ａｃｃｅｓｓ  ｃｌａｓｓ  ｂａｒｒｅｄ  ｌｉｓｔ）に設定されたアクセスクラス制限情報が、前記移動通信端末機のＳＩＭカードに格納されたアクセスクラス制限情報と一致すると、前記移動通信端末機の無線資源制御階層１１０は、前記ＧＰＲＳ移動性管理階層１０５にこのことを報告する。前記システム情報は、前記無線資源制御階層１１０に伝達されて解釈され、前記ＧＰＲＳ移動性管理階層１０５に伝達される。
【００１０】
前記ＧＰＲＳ移動性管理階層１０５は、うまく登録ができないと判断した場合、上位の使用者インタフェース１０２に、現在制限的なサービス（ｌｉｍｉｔｅｄ  ｓｅｒｖｉｃｅ）のみが可能であると報告する。前記制限的なサービス提供状態では、非常コール（ｅｍｅｒｇｅｎｃｙ  ｃａｌｌ）だけが許容され、一般コール（ｎｏｒｍａｌ  ｃａｌｌ）は許容されない。
【００１１】
一時的に加入者が立て込んで基地局の容量を超えるサービス要求が発生する場合、基地局は現在管理するセルにアクセスクラス制限を設定することができる。
【００１２】
しかし、今まで前記使用者インタフェース１０２は、前記移動通信端末機に制限的なサービスが提供される原因について提供されなかった。なぜなら、この状態では前記使用者インタフェース１０２が前記ＧＰＲＳ移動性管理階層１０５にサービス（データ通信サービス）を要求しても、前記ＧＰＲＳ移動性管理階層１０５はいかなる応答も提供しないからである。この場合、前記移動通信端末機を使用する使用者は、サービス提供不可の原因について提供されないため、前記移動通信端末機に問題があるのか、現在セルの資源状態のせいなのか、その原因が分からないという問題点がある。
【発明の開示】
【発明が解決しようとする課題】
【００１３】
本発明は、上述の問題点に鑑みてなされたもので、その目的は、移動通信システムにおけるアクセスクラス制限リストを用いるパケットサービス状態提供装置及び方法を提供することにある。
【００１４】
本発明の他の目的は、アクセスクラス制限が設定された適切なセルに移動通信端末機が移動する場合、前記アクセスクラス制限情報を使用者インタフェースに提供する装置及び方法を提供することにある。
【００１５】
本発明のまた他の目的は、アクセスクラス制限が設定された適切なセルに移動通信端末機が移動する場合、前記アクセスクラス制限によるサービス提供不可情報を使用者に通報する装置及び方法を提供することにある。
【課題を解決するための手段】
【００１６】
上記目的を達成すべく、本発明の一側面に係る方法によれば、移動通信システムにおけるアクセスクラス制限リストを用いるパケットサービス状態提供方法において、特性セルから他のセルに移動した移動通信端末機がネットワークから受信したシステム情報に含まれたアクセスクラス制限リストの情報に、前記移動通信端末機が既に格納したアクセスクラス制限情報と一致する情報があるか検査するステップと、前記一致する情報がある場合、パケットサービス要請の際、パケットサービス提供不可情報を含む前記パケットサービス要請に対する応答を提供するステップと、前記提供されたパケットサービス提供不可情報をディスプレイするステップと、を含む。
【００１７】
また、本発明の他の側面に係る装置によれば、移動通信システムにおけるアクセスクラス制限リストを用いるパケットサービス状態提供装置において、受信したシステム情報に含まれたアクセスクラス制限リストの情報と既格納のアクセスクラス制限情報に一致する情報がある場合、パケットサービス要請の際、前記パケットサービス提供不可情報を含む前記パケットサービス要請に対する応答を提供するセル制限情報処理部と、前記セル制限情報処理部が提供した前記パケットサービス不可情報をディスプレイし、使用者から前記パケットサービス要請がある場合、前記セル制限情報処理部に前記パケットサービスを要請する使用者インタフェースと、ネットワークからシステム情報を受信し、前記セル制限情報処理部に提供して、セル内資源アクセス（ａｃｃｅｓｓ）に対する制限事項があるか検査し、前記制限事項がある場合、前記使用者インタフェースに提供するように制御する制御部と、を含む。
【００１８】
また、本発明のまた他の側面に係るシステムによれば、移動通信システムにおけるアクセスクラス制限リストを用いるパケットサービス状態提供システムにおいて、基地局容量を超える前記パケットサービス要求が発生する場合、現在管理するセルにアクセスクラス制限を設定して、システム情報に含めて放送するネットワーク装置と、前記システム情報に含まれたアクセスクラス制限リストの情報と既格納のアクセスクラス制限情報に一致する情報がある場合、前記パケットサービス提供不可情報をディスプレイして、前記パケットサービス提供不可状態を提供する移動通信端末機と、を含む。
【発明の効果】
【００１９】
本発明によれば、使用者インタフェースに、移動通信端末機がパケットサービス提供不可情報を提供し、表示させるので、前記移動通信端末機がパケットサービスを提供されることができない場合、パケットサービス提供不可の原因を正確に把握することができるという長所がある。
【発明を実施するための最良の形態】
【００２０】
本発明の好ましい実施例を、添付の図面を参照して詳細に説明する。本発明を説明するにあたって、関連した公知技術あるいは構成についての具体的な説明が本発明の要旨を逸脱すると判断された場合、その詳細な説明を省略する。
【００２１】
以下、本発明の移動通信システムにおけるアクセスクラス制限リストを用いるパケットサービス状態提供装置及び方法について説明する。
【００２２】
図２は、本発明の実施例に係る移動通信端末機のブロック構成を図示した図である。
【００２３】
図２に示すように、制御部２２０は、現在キャンピングしたセルのネットワークから周期的に放送されるアクセスクラス制限情報を含むシステム情報をインタフェースモジュール２１０から受信して、セル制限情報処理部２４０に提供する。そして、前記アクセスクラス制限情報と前記移動通信端末機のＳＩＭカードに格納された情報と一致する情報が存在し、使用者インタフェース２５０からパケットサービスに対する要請がある場合、前記セル制限情報処理部２４０がパケットサービス提供不可情報を前記使用者インタフェース２５０に提供するように制御する。
【００２４】
前記セル制限情報処理部２４０は、前記制御部２２０の指示と提供情報により、前記アクセスクラス制限情報と前記移動通信端末機のＳＩＭカードに格納された情報と一致する情報が存在し、前記使用者インタフェース２５０からパケットサービスに対する要請がある場合、パケットサービス提供不可情報を前記使用者インタフェース２５０に提供する。前記セル制限情報処理部２４０は、ＧＰＲＳ移動性管理階層（ＧＭＭ）に含まれることができる。
【００２５】
前記使用者インタフェース（ＭＭＩ）２５０は、前記移動通信端末機で使用者と前記移動通信端末機間のインタフェースの機能をし、特に、本発明によって、前記セル制限情報処理部２４０からパケットサービス使用不可情報を提供される場合、前記パケットサービス制限の有無を表示する。
【００２６】
格納部２３０は、前記装置の全般的な動作を制御するためのプログラム及びプログラムの実行中発生する一時的なデータを格納する。ＳＩＭカードは、前記格納部２３０に含まれることができる。
【００２７】
インタフェースモジュール２１０は、他のノードと通信するためのモジュールであって、ＲＦ処理部及び基底帯域処理部など含んで構成される。前記ＲＦ処理部は、アンテナを介して受信される信号を基底帯域信号に変換して、前記基底帯域処理部に提供し、前記基底帯域処理部からの基底帯域信号を、実際エア（ａｉｒ）上で伝送できるようＲＦ（ｒａｄｉｏ  ｆｒｅｑｕｅｎｃｙ）信号に変換して、前記アンテナを介して送信する。
【００２８】
前述したブロック構成で、前記制御部２２０は、前記セル制限情報処理部２４０及び前記使用者インタフェース２５０の機能を行うことができる。本発明でこれを別々に構成して図示したのは、各機能を区別して説明するためである。したがって、実際に製品を具現する場合に、前記セル制限情報処理部２４０または前記使用者インタフェース２５０の機能を全て前記制御部２２０で処理できるように構成することも可能であって、前記機能のうち一部だけを前記制御部２２０で処理するように構成することも可能である。
【００２９】
図３は、本発明の実施例に係るアクセスクラス制限リストを用いるパケットサービス状態の提供過程を図示したフローチャートである。
【００３０】
図３に示すように、ステップ３０５で、移動通信端末機の制御部は、パワーオンの後、現在位置でキャンピング可能なセルを検索するために、下位物理階層がラジオ周波数に対するスキャン（ｓｃａｎｎｉｎｇ）を始めるようにする。
【００３１】
もし、前記ステップ３０５で、適切なセルを検索してキャンピングすることができなかった場合、ステップ３１０に進行して、任意のセル（ａｎｙ  ｃｅｌｌ）にキャンピングを行う。前記任意のセルは、キャンピング可能なセルを示す。
【００３２】
もし、前記ステップ３０５で、適切なセルを検索してキャンピングした場合、ステップ３１５で、通話を行ったりまたはアイドル状態（ｉｄｌｅ  ｓｔａｔｅ）で待機するなどの一般的な動作を行う。ステップ３２０で新たなセルに移動した場合、ステップ３２５で、セルの現在状態を知らせるシステム情報を含む放送チャンネル（ＢＣＨ：Ｂｒｏａｄｃａｓｔ  ＣＨａｎｎｅｌ）を解析して、システム情報を獲得する。本発明では図示していないが、前記ステップ３０５で、適切なセルにキャンピングできなかった場合にも、ステップ３１０のキャンピング過程を経て、前記制御部は前記システム情報を受信する。
【００３３】
以降、ステップ３３０で、前記制御部はセル制限情報処理部を制御して、前記システム情報のセル制限（ｃｅｌｌ  ｒｅｓｔｒｉｃｔｉｏｎ）情報に設定されたアクセスクラス制限リストの情報のうちＳＩＭカードに格納された情報と一致する制限情報があるかを検査するようにする。
【００３４】
もし、一致する制限情報がない場合、ステップ３３５に進行して、一般的な登録過程を行う。
【００３５】
もし、一致する制限情報がある場合、ステップ３４０に進行して、使用者インタフェース（ＭＭＩ）からパケットサービスに対する要求があるかを検査する。
【００３６】
もし、前記ステップ３４０で、前記パケットサービスに対する要求がある場合、ステップ３４５に進行して、前記アクセスクラス制限情報に基づいてパケットサービス提供不可情報を前記使用者インタフェースに提供する。
【００３７】
その後、前記使用者インタフェースは、ステップ３５０で前記パケットサービス提供不可情報を図５のようにディスプレイする。
【００３８】
その後、本発明に係るアルゴリズムを終了する。
【００３９】
図４は、本発明の実施例に係るパケットサービス状態の提供過程を図示したメッセージフローチャートである。
【００４０】
図４に示すように、使用者インタフェース（ＭＭＩ）４１０は、使用者からパケットサービス要求がある場合、ステップ（ａ）で、「Ａｃｔｉｖａｔｅ  ＰＤＰ  Ｃｏｎｔｅｘｔ  Ｒｅｑｕｅｓｔ」メッセージをＧＰＲＳ移動性管理階層４２０に伝達して、パケットサービスのためのコール設定を要請する。前記「Ａｃｔｉｖａｔｅ  ＰＤＰ  Ｃｏｎｔｅｘｔ  Ｒｅｑｕｅｓｔ」メッセージは、移動通信端末機がパケットサービス提供のための情報（ＰＤＰ：Ｐａｃｋｅｔ  Ｄａｔａ  Ｐｒｏｔｏｃｏｌ）に対して活性化を要請してパケットサービス提供を要請するためのメッセージである。前記パケットサービス提供のための情報には、例えば、ＩＰ（Ｉｎｔｅｒｎｅｔ  Ｐｒｏｔｏｃｏｌ）通信のための割当ＩＰアドレスが含まれる。
【００４１】
もし、アクセスクラス制限により、前記パケットサービス提供が不可能である場合、前記ＧＰＲＳ移動性管理階層４２０は、ステップ（ｂ）で、パケットサービス提供不可を示すアクセスクラス遮断（ａｃｃｅｓｓ  ｃｌａｓｓ  ｂｌｏｃｋ）というセッション管理原因値（ｓｅｓｓｉｏｎ  ｍａｎａｇｅｍｅｎｔ  ｃａｕｓｅ  ｖａｌｕｅ）を含む「Ａｃｔｉｖａｔｅ  ＰＤＰ  Ｃｏｎｔｅｘｔ  Ｒｅｊｅｃｔ」メッセージを前記使用者インタフェース４１０に伝達する。
【００４２】
前記セッション管理原因値は、図６のように２バイトで構成され、１バイトの情報要素指示者（ＩＥＩ：Ｉｎｆｏｒｍａｔｉｏｎ  Ｅｌｅｍｅｎｔ  Ｉｎｄｅｎｔｉｆｉｅｒ）と１バイトの原因値（ｃａｕｓｅ  ｖａｌｕｅ）を有する。
【００４３】
本発明の例示的実施例は、コンピュータ読出媒体上のコンピュータ読出コードを含むことができる。コンピュータ読出媒体は、コンピュータシステムにより読出できるデータを記憶させるデータ記憶手段を含むことができる。コンピュータ読出媒体の例としては、磁気記憶メディア（ＲＯＭ，フロッピー（登録商標）ディスク、ハードディスクなど）、光学記録メディア（ＣＤ−ＲＯＭまたはＤＶＤなど）及び搬送波（インターネットを介する伝送）のような記憶メカニズムなどがある。また、コンピュータ読出媒体は、コンピュータシステムに接続されているネットワークを介して配布でき、配布方式を通じて記憶及び実行することができる。また、本発明の例示的実施例を行う機能プログラム、コード及びコードセグメントは、本発明の属する技術分野における通常の知識を有する者から理解できる。
【００４４】
一方、本発明の詳細な説明では、具体的な実施例について説明したが、本発明の思想から逸脱しない範囲内で、様々な変形が可能であることは明白である。したがって、本発明の範囲は、説明された実施例に限定されず、添付の特許請求の範囲だけでなく、特許請求の範囲と均等なものにより決められるべきである。
【図面の簡単な説明】
【００４５】
【図１】一般の移動通信システムの階層構造を図示した図である。
【図２】本発明の実施例に係る移動通信端末機のブロック構成を図示した図である。
【図３】本発明の実施例に係るアクセスクラス制限リストを用いるパケットサービス状態の提供過程を図示したフローチャートである。
【図４】本発明の実施例に係るパケットサービス状態の提供過程を図示したメッセージフローチャートである。
【図５】本発明の実施例に係るパケットサービス状態表示画面を図示した図である。
【図６】本発明の実施例に係るセッション管理原因値を図示した図である。
【符号の説明】
【００４６】
２１０  インタフェースモジュール
２２０  制御部
２３０  格納部
２４０  セル制限情報処理部
２５０  使用者インタフェース
【図１】
2008048399.tif 000003
【図２】
2008048399.tif 000004
【図３】
2008048399.tif 000005
【図４】
2008048399.tif 000006
【図６】
2008048399.tif 000007
【図５】
2008048399.tif 000008